(57)【要約】      （修正有）【課題】成形が容易であり、材料を節約可能であり、迅速で大量生産可能であり、生産コストを減少可能であり、台座本体にソーラーパネルを強固に固定可能であるソーラーパネル用台座締結構造を提供する。【解決手段】半径方向の断面が金属プレートを折り曲げて一体成形される矩形な枠である台座本体を少なくとも備え、台座本体の周りに締結溝が少なくとも一組設けられており、各締結溝１４、１６は、台座本体の何れかの辺が内側へ凹んで形成され、その開口の対向する両辺に補強辺１４４、１６４がそれぞれ形成される。【選択図】図２
0003207471.tif 000002
【実用新案登録請求の範囲】
【請求項１】
その半径方向の断面が金属プレートを折り曲げて一体成形される矩形な枠である台座本体を少なくとも備え、第１辺と第２辺とは、前記台座本体の周りの何れかの二つの辺であり、互いに平行し、又は互いに垂直し、
前記第１辺は第１締結溝に設けられており、前記第１締結溝の末端には、第１底辺の両端から前記第１締結溝の凹む端部へ、第１底辺に垂直するように延びる第１側辺がそれぞれ設けられており、前記各第１側辺の自由端が互いに向くように折り曲げられて第１止め辺を形成し、前記各第１止め辺は、前記第１底辺と前記第１辺とに平行し、前記各第１止め辺の自由端と前記第１辺の各自由端とには、これらに垂直する第１補強辺がそれぞれ設けられており、前記各第１補強辺は前記各第１側辺に平行し、
前記第２辺は第２締結溝に設けられており、前記第２締結溝の末端には、第２底辺の両端から前記第２締結溝の凹む端部へ、第２底辺に垂直するように延びる第２側辺がそれぞれ設けられており、前記各第２側辺の自由端が互いに向くように折り曲げられて第２止め辺を形成し、前記各第２止め辺は、前記第２底辺と前記第２辺とに平行し、前記各第２止め辺の自由端と前記第１辺の各自由端とには、これらに垂直する第２補強辺がそれぞれ設けられており、前記各第２補強辺は前記各第２側辺に平行することを特徴とするソーラーパネル用台座締結構造。
【請求項２】
前記各第１補強辺に対応する他側には、第１補強空間がそれぞれ設けられており、前記各第２補強辺に対応する他側には、第２補強空間がそれぞれ設けられていることを特徴とする、請求項１に記載のソーラーパネル用台座締結構造。
【請求項３】
前記第１補強辺には、折り曲げられて形成する第１折畳み構造が複数設けられており、前記第２補強辺には、折り曲げられて形成する第２折畳み構造が複数設けられていることを特徴とする、請求項１に記載のソーラーパネル用台座締結構造。
【考案の詳細な説明】
【技術分野】
【０００１】
本考案は、台座締結構造に関し、特に、各補強辺がより長い延び段を有するため、構造の強度及び安定性を増加可能であり、ソーラーパネルを安定的に設置可能なソーラーパネル用台座締結構造に関するものである。
【背景技術】
【０００２】
図５及び図６を参照する。図５及び図６に示す従来のベース構造３０は、その周りに階段形溝３２が設けられており、階段形溝３２の開口に係止辺３４が設けられている。ソーラーパネル３６は、締結構造３８により、階段形溝３２に組み付けられている。係止辺３４により、締結構造３８は係止される。しかしながら、係止辺３４はベース構造３０から延びる凸縁であるため、締結構造３８が係止辺３４に係止されるときに、風力が強いと、ソーラーパネル３６の体積が大きいため、係止辺３４が変形して、締結構造３８によりソーラーパネル３６を強固に固定できない。このため、ソーラーパネル３６は強風に吹かれて揺動して傾斜する虞がある。
【考案の概要】
【考案が解決しようとする課題】
【０００３】
本考案の主な目的は、成形が容易であり、材料を節約可能であり、迅速で大量生産可能であり、生産コストを減少可能であり、台座本体にソーラーパネルを強固に固定可能であるソーラーパネル用台座締結構造を提供することにある。
【課題を解決するための手段】
【０００４】
本考案のソーラーパネル用台座締結構造によると、その半径方向の断面が金属プレートを折り曲げて一体成形される矩形な枠である台座本体を少なくとも備え、第１辺と第２辺とは、台座本体の周りの何れかの二つの辺であり、互いに平行し、又は互いに垂直し、
第１辺は第１締結溝に設けられており、第１締結溝の末端には、第１底辺の両端から第１締結溝の凹む端部へそれぞれ垂直に延びる第１側辺が設けられており、各第１側辺の自由端が互いに向くように折り曲げられて第１止め辺を形成し、各第１止め辺は、第１底辺と第１辺とに平行し、各第１止め辺の自由端と第１辺の各自由端とには、これらに垂直する第１補強辺がそれぞれ設けられており、各第１補強辺は各第１側辺に平行し、
第２辺は第２締結溝に設けられており、第２締結溝の末端には、第２底辺の両端から第２締結溝の凹む端部へそれぞれ垂直に延びる第２側辺が設けられており、各第２側辺の自由端が互いに向くように折り曲げられて第２止め辺を形成し、各第２止め辺は、第２底辺と第２辺とに平行し、各第２止め辺の自由端と第１辺の各自由端とには、これらに垂直する第２補強辺がそれぞれ設けられており、各第２補強辺は各第２側辺に平行することを特徴とする。
【０００５】
本考案のソーラーパネル用台座締結構造によると、各第１補強辺に対応する他側には、第１補強空間がそれぞれ設けられており、各第２補強辺に対応する他側には、第２補強空間がそれぞれ設けられていることを特徴とする。
【０００６】
本考案のソーラーパネル用台座締結構造によると、第１補強辺には、折り曲げられて形成する第１折畳み構造が複数設けられており、第２補強辺には、折り曲げられて形成する第２折畳み構造が複数設けられていることを特徴とする。
【考案の効果】
【０００７】
本考案のソーラーパネル用台座締結構造によれば、次のような効果がある。
（１）ステンレススチール製のプレートを折り曲げて第１締結溝と第２締結溝とを形成するため、成形が容易であり、材料を節約可能であり、迅速で大量生産可能であり、生産コストを減少可能である。
【０００８】
（２）台座本体が一体成形されるため、構造の強度は高い。第１補強辺と第２補強辺とは、より長い延びエッジを有し、それに対応する他側に第１補強空間と第２補強空間とがそれぞれ設けられているため、安定性を増加可能であり、変形しにくい。これにより、第１補強辺及び第２補強辺と締結構造との当接面積が増加するため、台座本体にソーラーパネルを強固に固定可能である。
【図面の簡単な説明】
【０００９】
【図１】本考案に係る台座本体の第１の実施形態を示す斜視図である。
【図２】本考案に係る台座本体の第１の実施形態の半径方向断面図である。
【図３】本考案に係る台座本体の第２の実施形態の半径方向断面図である。
【図４】本考案に係る台座本体の第１の実施形態にソーラーパネルが組み付けられている状態を示す斜視図である。
【図５】従来の台座本体の半径方向断面図である。
【図６】従来の台座本体にソーラーパネルが組み付けられている状態を示す斜視図である。
【考案を実施するための形態】
【００１０】
以下、本考案の実施の形態を図面に基づいて説明する。
【００１１】
図１から図４を参照する。本考案に係るソーラーパネル用台座締結構造は、その半径方向の断面が金属プレートを折り曲げて一体成形される矩形な枠である台座本体１０を少なくとも備える。第１辺１１と第２辺１２とは、台座本体１０の周りの何れかの二つの辺であり、互いに平行し、又は互いに垂直する。
【００１２】
第１辺１１は第１締結溝１４に設けられている。第１締結溝１４の末端には、第１底辺１４１の両端から第１締結溝１４の凹む端部へ、第１底辺１４１に垂直するように延びる第１側辺１４２がそれぞれ設けられている。各第１側辺１４２の自由端は、互いに向くように折り曲げられて第１止め辺１４３を形成する。各第１止め辺１４３は、第１底辺１４１と第１辺１１とに平行する。各第１止め辺１４３の自由端と第１辺１１の各自由端とには、これらに垂直する第１補強辺１４４がそれぞれ設けられている。各第１補強辺１４４は各第１側辺１４２に平行する。
【００１３】
第２辺１２は第２締結溝１６に設けられている。第２締結溝１６の末端には、第２底辺１６１の両端から第２締結溝１６の凹む端部へ、第２底辺１６１に垂直するように延びる第２側辺１６２がそれぞれ設けられている。各第２側辺１６２の自由端は、互いに向くように折り曲げられて第２止め辺１６３を形成する。各第２止め辺１６３は、第２底辺１６３と第２辺１２とに平行する。各第２止め辺１６３の自由端と第２辺１２の各自由端とには、これらに垂直する第２補強辺１６４がそれぞれ設けられている。各第２補強辺１６４は各第２側辺１６２に平行する。
【００１４】
各第１補強辺１４４に対応する他側には、第１補強空間１７１がそれぞれ設けられている。各第２補強辺１６４に対応する他側には、第２補強空間１７２がそれぞれ設けられている。
【００１５】
第１補強辺１４４には、折り曲げられて形成する第１折畳み構造１８１が複数設けられている。第２補強辺１６４には、折り曲げられて形成する第２折畳み構造１８２が複数設けられている。
【００１６】
図２及び図４を参照する。台座本体１０にソーラーパネル２０を設置して、第１締結構造２２１により第１締結溝１４にソーラーパネル２０を固定する。第１止め辺１４３と第１補強辺１４４とにより、第１締結構造２２１の位置が制限される。第１補強辺１４４の第１締結構造２２１を押付ける側の反対側に第１補強空間１７１が設けられている。第１補強辺１４４はより長い延び辺を有するため、第１補強辺１４４の構造の強度が増加し、強風に吹かれても変形しにくい。これにより、台座本体１０にソーラーパネル２０を強固に固定可能である。
【００１７】
第２締結構造２２２により、固定台２３は第２締結溝１６に締結されている。第２締結溝１６により、第２締結構造２２２の位置が制限される。第２補強辺１６４により構造の強度が増加されるため、第２締結構造２２２により、台座本体１０に固定台２３を強固に固定可能である。
【産業上の利用可能性】
【００１８】
本考案は、ソーラーパネルに適用することができる。
【符号の説明】
【００１９】
１０  台座本体
１１  第１辺
１２  第２辺
１４  第１締結溝
１６  第２締結溝
２０  ソーラーパネル
２３  固定台
３０  ベース構造
３２  階段形溝
３４  係止辺
３６  ソーラーパネル
３８  締結構造
１４１  第１底辺
１４２  第１側辺
１４３  第１止め辺
１４４  第１補強辺
１６１  第２底辺
１６２  第２側辺
１６３  第２止め辺
１６４  第２補強辺
１７１  第１補強空間
１７２  第２補強空間
１８１  第１折畳み構造
１８２  第２折畳み構造
２２１  第１締結構造
２２２  第２締結構造
【図１】
0003207471.tif 000003
【図２】
0003207471.tif 000004
【図３】
0003207471.tif 000005
【図４】
0003207471.tif 000006
【図５】
0003207471.tif 000007
【図６】
0003207471.tif 000008